【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
カートリッジであって、
（１）その表面にトナーを担持した状態で回転可能な回転体と、
（２）前記回転体を回転可能に支持するための枠体と、
（３）前記回転体に駆動力を伝えるための伝達部材と、
（４）前記伝達部材に設けられたカップリング部材であって、（４−１）（ａ）前記カートリッジの外部に向かって進出した進出位置と、（ｂ）前記カートリッジの内部に向かって退避した退避位置と、の間を前記伝達部材に対して移動可能であり、前記駆動力を受けるための駆動力受け部を備える移動部材と、（４−２）前記移動部材から前記伝達部材に前記駆動力を伝達し得るように前記伝達部材に接続された接続部材と、を有するカップリング部材と、
を有し、
前記接続部材は、
（４−２−１）前記移動部材の移動方向に沿って延びる軸部と、
（４−２−２）前記軸部の先端側に設けられ、前記軸部の最大回転半径よりも大きな最大回転半径を備える拡大部であって、前記移動部材と係合することによって前記移動部材から前記駆動力を受ける拡大部と、
を備え、
前記カップリング部材が前記退避位置にある時、前記拡大部は前記移動部材と係合せず、前記カップリング部材が前記進出位置にある時、前記拡大部は、前記移動部材と係合することで前記移動部材から前記駆動力を受けるカートリッジ。
【請求項２】
前記拡大部が前記軸部の先端側に設けられる請求項１に記載のカートリッジ。
【請求項３】
前記軸部は、前記カップリング部材の回転軸線に沿って延びる請求項１又は２に記載のカートリッジ。
【請求項４】
前記移動部材は貫通穴を備え、前記軸部は前記貫通穴の内部に配置される請求項１乃至３のいずれか１項に記載のカートリッジ。
【請求項５】
前記拡大部は、前記移動部材から露出している請求項１乃至４のいずれか１項に記載のカートリッジ。
【請求項６】
前記拡大部は、前記カップリング部材の半径方向において前記軸部よりも外側の位置にて前記移動部材と係合している請求項１乃至５のいずれか１項に記載のカートリッジ。
【請求項７】
前記拡大部は、前記軸部から前記カップリング部材の径方向に広がった形状を有する請求項１乃至６のいずれか１項に記載のカートリッジ。
【請求項８】
前記拡大部は、前記軸部の最大回転半径よりも大きな最大回転半径を有する請求項１乃至７のいずれか１項に記載のカートリッジ。
【請求項９】
前記拡大部は、板形状を有する請求項１乃至８のいずれか１項に記載のカートリッジ。
【請求項１０】
前記拡大部は、円盤形状を有する請求項１乃至９のいずれか１項に記載のカートリッジ。
【請求項１１】
前記移動部材は、
前記駆動力受け部を有する自由端部と、
前記自由端部よりも前記伝達部材の近くに配置され、前記自由端部の最大回転半径よりも小さい最大回転半径を有する小径部と、
を備える請求項１乃至１０のいずれか１項に記載のカートリッジ。
【請求項１２】
前記自由端部は、前記移動部材の先端に近づくつれて最大回転半径が徐々に大きくなる部分を備える請求項１１に記載のカートリッジ。
【請求項１３】
前記拡大部の最大回転半径は、前記小径部の最大回転半径よりも大きい請求項１１又は１２に記載のカートリッジ。
【請求項１４】
前記小径部の最大回転半径は、前記カップリング部材の回転軸線と前記駆動力受け部の間の距離よりも小さく構成されている請求項１１乃至１３のいずれか１項に記載のカートリッジ。
【請求項１５】
前記軸部は前記小径部の内部に位置する請求項１１乃至１４のいずれか１項に記載のカートリッジ。
【請求項１６】
前記拡大部は、前記自由端部もしくは前記小径部の少なくとも一部と係合する請求項１１乃至１５のいずれか１項に記載のカートリッジ。
【請求項１７】
前記拡大部は、前記自由端部に係合する請求項１１乃至１６のいずれか１項に記載のカートリッジ。
【請求項１８】
カートリッジであって、
（１）その表面にトナーを担持した状態で回転可能な回転体と、
（２）前記回転体を回転可能に支持する枠体と、
（３）前記回転体に駆動力を伝えるための伝達部材と、
（４）前記伝達部材に設けられたカップリング部材であって、（４−１）（ａ）前記カートリッジの外部に向かって進出した進出位置と、（ｂ）前記カートリッジの内部に向かって退避した退避位置と、の間を前記伝達部材に対して移動可能であり、前記駆動力を受けるための駆動力受け部を備える移動部材と、（４−２）前記移動部材から前記伝達部材に前記駆動力を伝達し得るように前記伝達部材に接続された接続部材と、を有するカップリング部材と、
を有し、
前記接続部材は、
（４−２−１）前記移動部材の移動方向に沿って延びる軸部と、
（４−２−２）前記進出位置にある前記移動部材が前記フランジから外れるのを抑える規制部と、
を備え、
前記カップリング部材が前記退避位置にある時、前記規制部は前記移動部材と係合せず、前記カップリング部材が前記進出位置にある時、前記規制部は、前記移動部材と係合することで前記移動部材から前記駆動力を受けるカートリッジ。
【請求項１９】
前記軸部は、前記カップリング部材の回転軸線に沿って延びる請求項１８に記載のカートリッジ。
【請求項２０】
前記移動部材は貫通穴を有し、前記軸部は前記貫通軸の内部に配置される請求項１８又は１９に記載のカートリッジ。
【請求項２１】
前記拡大部は、前記移動部材から露出している請求項１８乃至２０のいずれか１項に記載のカートリッジ。
【請求項２２】
前記拡大部は、前記カップリング部材の半径方向において前記軸部よりも外側の位置にて前記移動部材と係合している請求項１８乃至２１のいずれか１項に記載のカートリッジ。
【請求項２３】
前記拡大部は、板形状を有する請求項１８乃至２２のいずれか１項に記載のカートリッジ。
【請求項２４】
前記拡大部は、円盤形状を有する請求項１８乃至２３のいずれか１項に記載のカートリッジ。
【請求項２５】
前記移動部材は、
前記駆動力受け部を有する自由端部と、
前記自由端部よりも前記伝達部材の近くに配置され、前記自由端部の最大回転半径よりも小さい最大回転半径を有する小径部と、
を備える請求項１８乃至２４のいずれか１項に記載のカートリッジ。
【請求項２６】
前記自由端部は、前記移動部材の先端に近づくにつれて前記カップリング部材の軸線からの距離が徐々に大きくなる部分を備える請求項２５に記載のカートリッジ。
【請求項２７】
前記拡大部の最大回転半径は、前記小径部の最大回転半径よりも大きい請求項２５又は２６に記載のカートリッジ。
【請求項２８】
前記小径部の最大回転半径は、前記カップリング部材の回転軸線と前記駆動力受け部の間の距離よりも小さく構成されている請求項２５乃至２７のいずれか１項に記載のカートリッジ。
【請求項２９】
前記軸部は前記小径部の内部に位置する請求項２５乃至２８のいずれか１項に記載のカートリッジ。
【請求項３０】
前記拡大部は、前記自由端部もしくは前記小径部の少なくとも一部と係合する請求項２５乃至２９のいずれか１項に記載のカートリッジ。
【請求項３１】
前記拡大部は、前記自由端部に係合する請求項２５乃至３０のいずれか１項に記載のカートリッジ。
【請求項３２】
前記駆動力受け部は、突起である請求項１乃至３１のいずれか１項に記載のカートリッジ。
【請求項３３】
前記移動部材は前記駆動力受け部を２つ有し、
前記２つの駆動力受け部が、前記カップリング部材の軸線に対して互いに対称となる位置にそれぞれ設けられる請求項１乃至３２のいずれか１項に記載のカートリッジ。
【請求項３４】
前記移動部材を前記進出位置に向けて付勢するための第１の付勢部材を有する請求項１乃至３３のいずれか１項に記載のカートリッジ。
【請求項３５】
前記第１の付勢部材は弾性部材を備える請求項３４に記載のカートリッジ。
【請求項３６】
前記移動部材を前記進出位置と前記退避位置の間で移動させるために操作される操作部材を有する請求項１乃至３５のいずれか１項に記載のカートリッジ。
【請求項３７】
前記操作部材は、外力を受けることで前記移動部材を前記進出位置に移動させるように操作される請求項３６に記載のカートリッジ。
【請求項３８】
前記操作部材はレバーである請求項３６又は３７に記載のカートリッジ。
【請求項３９】
前記回転体の軸線方向において、前記カップリング部材と前記操作部材は前記カートリッジの同じ側に位置する請求項３６乃至３８のいずれか１項に記載のカートリッジ。
【請求項４０】
前記操作部材を付勢するための第２の付勢部材を有する請求項３６乃至３９のいずれか１項に記載のカートリッジ。
【請求項４１】
前記第２の付勢部材は、弾性部材を備える請求項４０に記載のカートリッジ。
【請求項４２】
前記枠体はその内部にトナーを収容する請求項１乃至４１のいずれか１項に記載のカートリッジ。
【請求項４３】
前記伝達部材はギア部を備える請求項１乃至４２のいずれか１項に記載のカートリッジ。
【請求項４４】
前記回転体は感光ドラムであり、前記伝達部材は前記感光ドラムの端部に設けられたフランジである請求項１乃至４３のいずれか１項に記載のカートリッジ。
【請求項４５】
請求項１乃至４４のいずれか１項に記載のカートリッジと、
前記カップリング部材と係合して前記カップリング部材に前記駆動力を伝達するための駆動軸を備え、前記カートリッジを取り外し可能に装着するための画像形成装置本体と、
を有する電子写真画像形成装置。
【請求項４６】
前記カートリッジが前記画像形成装置本体に装着されることに伴って、前記移動部材が前記退避位置から前記進出位置へ移動するように構成された請求項４５に記載の電子写真画像形成装置。
【請求項４７】
前記装置本体は、
前記カートリッジを着脱するための開口と、
前記開口を開閉する開閉扉と、
を有しており、
前記開閉扉の開閉に伴って、前記移動部材が前記退避位置と前記進出位置の間を移動するように構成された請求項４５又は４６に記載の電子写真画像形成装置。
【請求項４８】
ドラムユニットであって、
（１）感光ドラムと、
（２）前記感光ドラムに駆動力を伝達するべく、前記感光ドラムの端部に設けられたフランジと、
（３）前記フランジに設けられたカップリング部材であって、（３−１）（ａ）前記感光ドラムから離れるように進出した進出位置と、（ｂ）前記感光ドラムの内部に向かって退避した退避位置と、の間を前記フランジに対して移動可能であり、前記駆動力を受けるための駆動力受け部を備える移動部材と、（３−２）前記移動部材から前記フランジに駆動力を伝達し得るように前記フランジに接続された接続部材と、を有するカップリング部材と、
を有し、
前記接続部材は、
（３−２−１）前記移動部材の移動方向に沿って延びる軸部と、
（３−２−２）前記進出位置にある前記移動部材が前記フランジから外れるのを抑える規制部と、
を備え、
前記カップリング部材が前記退避位置にある時、前記規制部は前記移動部材と係合せず、前記カップリング部材が前記進出位置にある時、前記規制部は、前記移動部材と係合することで前記移動部材から前記駆動力を受けるドラムユニット。
【請求項４９】
前記規制部が前記軸部の先端に設けられる請求項４８に記載のドラムユニット。
【請求項５０】
前記軸部は、前記カップリング部材の回転軸線に沿って延びる請求項４８又は４９に記載のドラムユニット。
【請求項５１】
前記軸部は、前記移動部材から露出している請求項４８乃至５０のいずれか１項に記載のドラムユニット。
【請求項５２】
前記規制部は、前記軸部から前記カップリング部材の径方向に広がった形状を有する請求項４８乃至５１のいずれか１項に記載のドラムユニット。
【請求項５３】
前記規制部は、前記軸部の最大回転半径よりも大きな最大回転半径を有する請求項４８乃至５２のいずれか１項に記載のドラムユニット。
【請求項５４】
前記規制部は、板形状を有する請求項４８乃至５３のいずれか１項に記載のドラムユニット。
【請求項５５】
前記規制部は、円盤形状を有する請求項４８乃至５４のいずれか１項に記載のドラムユニット。
【請求項５６】
前記移動部材は、
前記駆動力受け部を有する自由端部と、
前記自由端部よりも前記フランジの近くに配置され、前記自由端部の最大回転半径よりも小さい最大回転半径を有する小径部と、
を有する請求項４８乃至５５のいずれか１項に記載のドラムユニット。
【請求項５７】
前記規制部の最大回転半径は、前記小径部の最大回転半径よりも大きい請求項５６に記載のドラムユニット。
【請求項５８】
前記小径部は貫通穴を備え、前記軸部は前記貫通穴の内部に配置される請求項５６又は５７に記載のドラムユニット。
【請求項５９】
前記規制部は、前記自由端部に係合する請求項５６乃至５８のいずれか１項に記載のドラムユニット。
【請求項６０】
ドラムユニットであって、
（１）感光ドラムと、
（２）前記感光ドラムに駆動力を伝達するべく、前記感光ドラムの端部に設けられたフランジと、
（３）前記フランジに設けられたカップリング部材であって、（３−１）（ａ）前記感光ドラムから離れるように進出した進出位置と、（ｂ）前記感光ドラムの内部に向かって退避した退避位置と、の間を前記フランジに対して移動可能であり、前記駆動力を受けるための駆動力受け部を備える移動部材と、（３−２）前記移動部材から前記フランジに駆動力を伝達し得るように前記フランジに接続された接続部材と、を有するカップリング部材と、
を有し、
前記接続部材は、
（３−２−１）前記移動部材の移動方向に沿って延びる軸部と、
（３−２−２）前記軸部の先端側に設けられ、前記軸部の最大回転半径よりも大きな最大回転半径を備える拡大部であって、前記移動部材と係合することによって前記移動部材から前記駆動力を受ける拡大部と、
を備え、
前記カップリング部材が前記退避位置にある時、前記拡大部は前記移動部材と係合せず、前記カップリング部材が前記進出位置にある時、前記拡大部は、前記移動部材と係合することによって前記移動部材から前記駆動力を受けるドラムユニット。
【請求項６１】
前記駆動力受け部は、突起である請求項４８乃至６０のいずれか１項に記載のドラムユニット。
【請求項６２】
前記移動部材は前記駆動力受け部を２つ有し、
前記２つの駆動力受け部が、前記カップリング部材の軸線に対して互いに対称となる位置にそれぞれ設けられる請求項４８乃至６１のいずれか１項に記載のドラムユニット。
【請求項６３】
前記移動部材を前記進出位置に向けて付勢するための第１の付勢部材を有する請求項４８乃至６２のいずれか１項に記載のドラムユニット。
【請求項６４】
前記第１の付勢部材は弾性部材を備える請求項６３に記載のドラムユニット。
【請求項６５】
前記フランジはギア部を備える請求項４８乃至６４のいずれか１項に記載のドラムユニット。
【請求項６６】
電子写真画像形成装置本体に着脱可能なドラムユニットであって、
感光ドラムと、
前記感光ドラムに駆動力を伝達するべく、前記感光ドラムの端部に設けられたフランジと、
前記装置本体から前記駆動力を受けるための駆動力受け部を有する自由端部と、前記自由端部よりも前記フランジの近くに配置され、前記自由端部の最大回転半径よりも小さい最大回転半径を有する小径部と、を有する移動部材であって、前記フランジに駆動力を伝達可能な伝達位置と、前記フランジに駆動力を伝達しない非伝達位置と、の間を前記フランジに対して移動可能な移動部材と、
を有し、
前記移動部材が前記フランジから離れる方向に移動するのが規制される被規制部が、前記移動部材の前記自由端部のみに設けられているドラムユニット。
【請求項６７】
前記小径部の最大回転半径は、前記移動部材の回転軸線と前記駆動力受け部との間の距離より小さく構成された請求項６６に記載のドラムユニット。
【請求項６８】
前記被規制部は、前記移動部材の回転半径方向において、前記小径部よりも外側に配置されている請求項６６または６７に記載のドラムユニット。
【請求項６９】
請求項６６乃至６８のいずれか１項に記載のドラムユニットと、
前記感光ドラムに作用するプロセス手段と、
を有し、
前記装置本体に着脱可能に構成されたプロセスカートリッジ。
【請求項７０】
電子写真画像形成装置本体に着脱可能なドラムユニットであって、
感光ドラムと、
感光ドラムの端部に設けられ、前記感光ドラムに駆動力を伝達するための軸と、
前記装置本体から駆動力を受けて、前記軸に前記駆動力を伝達するための移動部材であって、前記軸に駆動力を伝達可能な伝達位置と、前記軸に駆動力を伝達しない非伝達位置と、の間を前記軸に対して移動可能な移動部材と、
前記移動部材を前記非伝達位置から前記伝達位置に向かって付勢する第一の付勢部材と、
前記移動部材を前記伝達位置から前記非伝達位置に向かって付勢する第二の付勢部材と、
を有するドラムユニット。
【請求項７１】
前記第一の付勢部材の前記移動部材に対する付勢力は、前記第二の付勢部材の前記移動部材に対する付勢力よりも、大きく構成されている請求項７０に記載のドラムユニット。
【請求項７２】
請求項７０又は７１に記載のドラムユニットと、前記感光ドラムに作用するプロセス手段と、を有し、前記装置本体に着脱可能に構成されたプロセスカートリッジ。
【請求項７３】
前記移動部材を前記伝達位置から前記非伝達位置に向かって付勢する第三の付勢部材を有している請求項７２に記載のプロセスカートリッジ。
【手続補正２】
【補正対象書類名】明細書
【補正対象項目名】０００６
【補正方法】変更
【補正の内容】
【０００６】
本願にて開示する代表的な構成の一つは、
カートリッジであって、
（１）その表面にトナーを担持した状態で回転可能な回転体と、
（２）前記回転体を回転可能に支持するための枠体と、
（３）前記回転体に駆動力を伝えるための伝達部材と、
（４）前記伝達部材に設けられたカップリング部材であって、（４−１）（ａ）前記カートリッジの外部に向かって進出した進出位置と、（ｂ）前記カートリッジの内部に向かって退避した退避位置と、の間を前記伝達部材に対して移動可能であり、前記駆動力を受けるための駆動力受け部を備える移動部材と、（４−２）前記移動部材から前記伝達部材に前記駆動力を伝達し得るように前記伝達部材に接続された接続部材と、を有するカップリング部材と、
を有し、
前記接続部材は、
（４−２−１）前記移動部材の移動方向に沿って延びる軸部と、
（４−２−２）前記軸部の先端側に設けられ、前記軸部の最大回転半径よりも大きな最大回転半径を備える拡大部であって、前記移動部材と係合することによって前記移動部材から前記駆動力を受ける拡大部と、
を備え、
前記カップリング部材が前記退避位置にある時、前記拡大部は前記移動部材と係合せず、前記カップリング部材が前記進出位置にある時、前記拡大部は、前記移動部材と係合することで前記移動部材から前記駆動力を受けるカートリッジ。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】